(57)【要約】【課題】本体を保持体に対し容易に且つ安定して保持させることができる電気掃除機を提供すること。【解決手段】本体２と保持体３とを有して構成される電気掃除機１において、前記本体２が、胴部４の上方に離間して設けられる把持部５を有し、前記保持体３が、基部１４及びこの基部１４から突出する腕部１５を有し、前記基部１４が前記本体２と当接する当接部としての給電部１６を有し、鉛直方向をＹ軸、前記本体２の給電部１６への当接方向の水平成分をＺ軸、Ｙ軸及びＺ軸と直交するＸ軸と定義し、前記腕部１５の掛け部２４に前記把持部５が掛けられるように構成されると共に、前記把持部５を前記掛け部２４に掛けた状態で、前記本体２の揺動中心Ｃと重心Ｇの位置関係が、前記本体２を前記給電部１６に向かわせるＺ軸方向の力Ｆが重力ｇによって働く位置関係である。【選択図】図１
2019180901.tif 000002
【特許請求の範囲】
【請求項１】
本体と保持体とを有して構成される電気掃除機において、
前記本体が、胴部の上方に離間して設けられる把持部を有し、前記保持体が、基部及びこの基部から突出する腕部を有し、前記基部が前記本体と当接する当接部を有し、
鉛直方向をＹ軸、前記本体の前記当接部への当接方向の水平成分をＺ軸、これらＹ軸及びＺ軸と直交する水平方向をＸ軸と定義し、
前記腕部に前記把持部が掛けられるように構成されると共に、前記把持部を前記腕部に掛けた状態で、前記本体の揺動中心と重心の位置関係が、前記本体を前記当接部に向かわせるＺ軸方向の力が重力によって働く位置関係であることを特徴とする電気掃除機。
【請求項２】
前記腕部がＹ軸方向で上に凹となる凹状部を有することを特徴とする請求項１記載の電気掃除機。
【請求項３】
前記凹状部がＺ軸方向で前記当接部から離れる方向に凹となる部分を有し、この凹状部におけるＺ軸方向で最も前記当接部に近い位置と、Ｙ軸方向で最も低い位置とが、Ｘ軸において同じであることを特徴とする請求項２記載の電気掃除機。
【請求項４】
前記基部に前記当接部としての給電部が設けられると共に、前記本体の胴部に、前記給電部に対応して受電部が設けられることを特徴とする請求項３記載の電気掃除機。
【発明の詳細な説明】
【技術分野】
【０００１】
本発明は、把持部を把持して使用される電気掃除機に関するものである。
【背景技術】
【０００２】
従来、この種の電気掃除機としては、例えば、上下方向に沿う設置面に取り付けられる収納装置（本願発明の保持体に相当する）と、掃除機本体（本願発明の本体に相当する）とを有するものが知られている（例えば、特許文献１参照。）。そして、前記掃除機本体は、前記収納装置に対し引っ掛けるように取り付けられる。
【先行技術文献】
【特許文献】
【０００３】
【特許文献１】特開２０１８−１５３２３号公報
【発明の概要】
【発明が解決しようとする課題】
【０００４】
このような電気掃除装置は、掃除機本体を前記収納装置の第１係止部に掛けるための第１被係止部が、前記掃除機本体を立てた状態における後側に位置することになる。そればかりでなく、前記掃除機本体を前記第１係止部に掛ける際、この第１係止部が前記掃除機本体に隠れることになる。従って、使用者は前記掃除機本体を前記収納装置に引っ掛けにくく、最悪の場合、前記掃除機本体を落下させてしまうという虞があった。
【０００５】
本発明は以上の問題点を解決し、本体を保持体に対し容易に且つ安定して保持させることができる電気掃除機を提供することを目的とする。
【課題を解決するための手段】
【０００６】
本発明の請求項１に記載の電気掃除機は、本体と保持体とを有して構成される電気掃除機において、前記本体が、胴部の上方に離間して設けられる把持部を有し、前記保持体が、基部及びこの基部から突出する腕部を有し、前記基部が前記本体と当接する当接部を有し、鉛直方向をＹ軸、前記本体の前記当接部への当接方向の水平成分をＺ軸、これらＹ軸及びＺ軸と直交する水平方向をＸ軸と定義し、前記腕部に前記把持部が掛けられるように構成されると共に、前記把持部を前記腕部に掛けた状態で、前記本体の揺動中心と重心の位置関係が、前記本体を前記当接部に向かわせるＺ軸方向の力が重力によって働く位置関係であるものである。
【０００７】
また、本発明の請求項２に記載の電気掃除機は、請求項１において、前記腕部がＹ軸方向で上に凹となる凹状部を有するものである。
【０００８】
また、本発明の請求項３に記載の電気掃除機は、請求項２において、前記凹状部がＺ軸方向で前記当接部から離れる方向に凹となる部分を有し、この凹状部におけるＺ軸方向で最も前記当接部に近い位置と、Ｙ軸方向で最も低い位置とが、Ｘ軸において同じものである。
【０００９】
また、本発明の請求項４に記載の電気掃除機は、請求項３において、前記基部に前記当接部としての給電部が設けられると共に、前記本体の胴部に、前記給電部に対応して受電部が設けられるものである。
【発明の効果】
【００１０】
本発明の請求項１に記載の電気掃除機は、以上のように構成することにより、前記腕部に前記把持部を掛けて、前記保持体に前記本体を容易に保持させることができると共に、この状態で前記胴部が前記基部の当接部に重力によって当接することで、前記本体を前記保持体に安定して保持させることができる。
【００１１】
なお、前記腕部がＹ軸方向で上に凹となる凹状部を有することで、前記本体の把持部を前記腕部の凹状部の最低位置に安定して掛けることができる。
【００１２】
また、前記凹状部がＺ軸方向で前記当接部から離れる方向に凹となる部分を有し、この凹状部におけるＺ軸方向で最も前記当接部に近い位置と、Ｙ軸方向で最も低い位置とが、Ｘ軸において同じことで、前記本体の把持部が前記腕部に安定して掛けられる位置において、前記本体の位置を最も前記基部側にさせて前記当接部に安定して当接させることができる。
【００１３】
更に、前記基部に前記当接部としての給電部が設けられると共に、前記本体の胴部に、前記給電部に対応して受電部が設けられることで、前記把持部を前記腕部に掛けるだけで、前記本体に給電することができる。
【図面の簡単な説明】
【００１４】
【図１】本発明の一実施形態を示す電気掃除機の全体外観図であり、（ａ）は正面図、（ｂ）は右側面図である。
【図２】同、機本体の外観図であり、（ａ）は正面図、（ｂ）は右側面図である。
【図３】同、本体の背面図である。
【図４】同、本体の把持部周辺を拡大した右側面図である。
【図５】同、保持体の正面図である。
【図６】同、保持体の右側面図である。
【図７】同、保持体の平面図である。
【図８】同、給電部を取り外した状態の保持体の正面図である。
【図９】同、本体を保持体に保持させる手順を示す説明図であり、（ａ）は正面図、（ｂ）は右側面図である。
【図１０】同、本体を保持体に保持させる手順を示す説明図であり、（ａ）は正面図、（ｂ）は右側面図である。
【発明を実施するための形態】
【００１５】
以下、本発明の実施形態について、図１乃至図１０に基づいて説明する。なお、各図には、方向の基準となる座標軸を表記する。Ｙ軸は鉛直方向である。また、Ｚ軸は、後述する胴部４が、保持体３の当接部である給電部１６に重力によって当接する方向の水平成分であり、本実施形態の場合は奥行き方向である。更に、Ｘ軸は、前記Ｙ軸及びＺ軸と直交する方向であり、本実施形態の場合は左右方向である。１は本発明の電気掃除機である。この電気掃除機１は、本体２と保持体３とを有して構成される。
【００１６】
前記本体２は、胴部４と把持部５と第一連結部６と第二連結部７とを有する。前記胴部４は、略円筒状に形成される。また、前記胴部４の上端部４Ａは、前側が低くなるように斜めに形成される。前記把持部５は、略円筒状に形成される。また、前記把持部５は、前記胴部４の上端部４Ａと所定の間隔をおいて設けられる。なお、前記把持部５は、前記胴部４の上端部４Ａと平行に設けられる。そして、前記胴部４の上端部４Ａと前記把持部５は、前記第一連結部６と第二連結部７によって連結される。前記胴部４の上端部４Ａの前側と前記把持部５の前側とを連結する第一連結部６は、前記胴部４の上端部４Ａ及び把持部５と直交して設けられる。即ち、前記第一連結部６は、上方ほど前方となるように傾斜して設けられる。一方、前記胴部４の上端部４Ａの後側と前記把持部５の後側とを連結する第二連結部７は、その前縁７Ａが前記第一連結部６と平行に形成される。即ち、前記第二連結部７の前縁７Ａも、上方ほど前方となるように傾斜して設けられる。そして、前記把持部５の下縁５Ａと第二連結部７の前縁７Ａが交差する位置の近傍が、後述する腕部１５の掛け部２４に掛けられる掛け位置Ｈとなる。なお、前記本体２の重心Ｇは、前記本体２を直立させた姿勢において、後述する揺動中心ＣよりもＺ軸の前方となる。また、前記把持部５の前部には、操作部８及び表示部９が設けられる。前記操作部８は押しボタン式のスイッチである。また、前記表示部９は、内部に図示しないＬＥＤが設けられており、前記把持部５の円筒側面の全周に渡って環状に設けられる。このため、前記表示部９から放出された光は、前記本体２の周囲の広い範囲から視認することができる。更に、前記胴部４の背面には、略円形凹状の受電部１０が設けられる。そして、この受電部１０には、受電端子１１，１２及び磁着部１３が設けられる。なお、この磁着部１３は、背面視で円形の鋼製部品である。
【００１７】
前記保持体３は、基部１４と腕部１５と当接部としての給電部１６とを有する。前記基部１４の前側は、対向する前記胴部４及び第二連結部７の後側の形状に沿った形状に形成される。また、前記基部１４には、凹部１７及び一対の係止爪部１８が形成される。前記凹部１７は、前記基部１４の左右方向（Ｘ軸方向）中央に位置する。そして、前記給電部１６は、前記凹部１７に配置されると共に、前記係止爪部１８によって着脱可能に装着される。なお、前記給電部１６は、前記凹部１７に装着された状態で、その前面が前記基部１４の前面から前方に突出する。また、前記凹部１７から下方に切欠部１９が形成される。更に、前記基部１４には、複数の貫通孔２０，２１，２２が形成される。そして、これらの貫通孔２０，２１，２２を通してネジ止めすることで、前記基部１４は、壁Ｗ等の縦面に固定される。
【００１８】
前記腕部１５は、金属製のパイプを折り曲げて形成される。この腕部１５は、支柱部２３と掛け部２４とを有して構成される。前記支柱部２３は、前記基部１４の左側面から上前方に傾斜して設けられる。そして、前記掛け部２４は、前記支柱部２３から右側に折り曲げて形成される。また、前記掛け部２４は、Ｙ軸の上方及びＺ軸の前方に凹となるように湾曲させて凹状部２５が形成される。なお、この凹状部２５のＹ軸の最低位置２５ＡとＺ軸の最後位置２５Ｂは、左右方向即ちＸ軸において一致する。従って、前記凹状部２５の上前方で前記把持部５と実際に接触する接触位置２５Ｃも、Ｘ軸において前記最低位置２５Ａ及び最後位置２５Ｂと一致する。なお、前記接触位置２５Ｃは、前記本体２が前記掛け部２４に対し揺動可能であることから、前後及び上下に範囲を有する。また、前記接触位置２５Ｃは、前記掛け部２４の断面が円形である場合、水平に対する前記把持部５の傾斜角度分、前記最低位置２５Ａよりも前方に位置する。本実施形態では、前記把持部５は水平に対し約３０度傾斜しているので、前記接触位置２５Ｃは、前記最低位置２５Ａよりも約３０度前方に位置する。また、前記接触位置２５Ｃは、Ｘ軸において前記給電部１６の中心と一致する。更に、前記掛け部２４は、この掛け部２４と接触する前記把持部５を保護するための保護カバー２６により覆われる。
【００１９】
前記給電部１６は、略短円筒状に形成される。また、この給電部１６には、給電端子２７，２８及び磁石２９が設けられる。前記給電端子２７，２８は、それぞれ前記受電端子１１，１２に対応して設けられる。また、前記磁石２９は前記磁着部１３に対応して設けられる。更に、前記給電部には、前記係止爪部１８と係合する係合部３０が設けられる。そして、前記給電部１６の円筒側面から突出して、電力線３１が設けられる。なお、この電力線３１の端部には、図示しない交流−直流変換器が設けられる。
【００２０】
次に、本実施形態の作用について説明する。まず、前記本体２によって掃除をする場合、使用者は前記把持部５を把持し、前記操作部８を操作する。なお、掃除中は、前記表示部９が点灯する。そして、前述した通り、前記表示部９が前記把持部５の円筒側面の全周に渡って環状に設けられるので、前記表示部９から放出された光は、前記本体２の周囲の広い範囲から視認することができる。
【００２１】
一方、前記本体２の不使用時には、この本体２は前記壁Ｗ等に固定された前記保持体３に保持される。即ち、使用者は、図９に示すように、前記保持体３の腕部１５の先端である掛け部２４を、前記胴部４の上端部４Ａと把持部５と連結部６，７とで囲まれた空間に挿入する。この状態から、図１０に示すように、前記本体２の中心が前記給電部１６の中心とほぼ重なる位置まで、前記本体２をＸ軸の左側に移動させた後、前記本体２をＹ軸の下方に移動させる。このようにすることで、図１に示すように、前記把持部５が前記腕部１５の掛け部２４に掛けられて、前記本体２が前記保持体３に保持される。この際、使用者から見て、前記掛け部２４が前記胴部４に隠れないので、確実に前記把持部５を前記掛け部２４に掛けることができる。なお、前記掛け部２４に前記本体２が掛けられると、この本体２は揺動中心Ｃを中心として揺動可能となる。
【００２２】
なお、前述したように、前記第二連結部７の前縁７Ａが、上方ほど前方となるように傾斜して設けられる。このため、前記本体２をＹ軸の下方に移動させると、前記前縁７Ａが前記腕部１５の掛け部２４に案内されて、前記本体２がＺ軸の後方に移動する。また、前述したように、前記掛け部２４が、Ｙ軸の上方及びＺ軸の前方に凹となるように湾曲させて凹状部２５が形成され、この凹状部２５の上前方で前記把持部５の下縁５Ａと接触する接触位置２５Ｃが、Ｘ軸において前記給電部１６の中心と一致する。このため、前記把持部５の下縁５Ａは、前記凹状部２５に案内されてＹ軸の下方及びＺ軸の後方に移動し、前記接触位置２５Ｃにおいて、力学的に安定する。そして、前記下縁５Ａが前記接触位置２５Ｃと接触した状態で、前記受電部１０と給電部１６とが対向する。即ち、前記本体２は、力学的に、前記凹状部２５によって大まかに位置決めされる。また、前述したように、前記基部１４の前側が、対向する前記胴部４及び第二連結部７の後側の形状に沿った形状に形成される。このため、前記本体２がＺ軸の後方に移動すると、前記基部１４の前側の面に案内されて、前記本体２が前記基部１４の所定の位置と対向するようにされる。更に、前述したように、前記本体２の重心Ｇが、前記把持部５を前記掛け部２４に掛けた状態で、前記本体２の揺動中心ＣよりもＺ軸の前方に位置する。即ち、前記揺動中心Ｃと重心Ｇの位置関係は、前記本体２を前記給電部１６に向かわせる力Ｆが重力ｇによって働く位置関係である。この力Ｆによって、前記胴部４は、前記給電部１６に対しＺ軸の後方に押し付けられる。これによって、前記本体２の胴部４の後方に設けられた前記受電部１０が、前記保持体３に設けられた当接部としての前記給電部１６に当接するので、前記本体２を前記保持体３に安定して保持させることができる。
【００２３】
このように、前記受電部１０が前記給電部１６に当接すると、前記受電部１０の受電端子１１が前記給電部１６の給電端子２７と電気的に接触すると共に、前記受電部１０の受電端子１２が前記給電部１６の給電端子２８と電気的に接触する。また、前記磁着部１３が前記磁石２９に磁着されることで、前記受電部１０と給電部１６の接続が維持される。これによって、図示しない交流−直流変換器から前記給電部１６及び受電部１０を介して、前記胴部４内の図示しない二次電池に電力が供給される。従って、前記本体２の把持部５を前記保持体３の腕部１５の掛け部２４に掛けるだけで、前記本体２内の二次電池を充電することができる。なお、充電中は、前記本体２による清掃中とは異なる態様で前記表示部９が点灯する。
【００２４】
なお、前述した通り、前記受電部１０が略円形凹状であり、また、前記給電部１６が略短円筒状であって前記基部１４の前面から前方に突出していることで、前記給電部１６は前記受電部１０に嵌まり込む。また、前記受電部１０の磁着部１３が、前記給電部１６の磁石２９に磁着される。また、重力ｇによってＺ軸の後方に向かう力Ｆが前記胴部４に働くことで、この胴部４の受電部１０が前記支持体４の当接部としての給電部１６に押し付けられる。更に、前記把持部５の下縁５Ａが前記接触位置２５Ｃと接触した状態で、前記本体２は前記掛け部２４に力学的に安定して掛けられる。これらの理由により、前記保持体３によって安定保持された前記本体２に多少の外力が働いたとしても、前記給電端子２７，２８と受電端子１１，１２との接続は維持され、前記本体２は前記保持体３から容易に落下しない。
【００２５】
また、前記給電部１６は、前記係止爪部１８，１８と係合部３０，３０の係合を解くことで、前記基部１４から取り外すことができる。このため、壁Ｗ等に固定された前記保持体３から前記給電部１６を取り外し、前記保持体３とは別の場所で前記本体２の胴部４内の二次電池に充電することができる。この場合、前記磁着部１３が前記磁石２９に磁着されることで、前記受電部１０と給電部１６との接続が維持される。これによって、前記壁Ｗ等に固定された前記保持体３に安定して保持させた状態で前記本体２を充電できるばかりでなく、自由な場所で前記本体２を充電できる。
【００２６】
以上のように本発明の電気掃除機１は、本体２と保持体３とを有して構成される電気掃除機１において、前記本体２が、胴部４の上方に離間して設けられる把持部５を有し、前記保持体３が、基部１４及びこの基部１４から突出する腕部１５を有し、前記基部１４が前記本体２と当接する当接部としての給電部１６を有し、鉛直方向をＹ軸、前記本体２の給電部１６への当接方向の水平成分をＺ軸、これらＹ軸及びＺ軸と直交する水平方向をＸ軸と定義し、前記腕部１５の掛け部２４に前記把持部５が掛けられるように構成されると共に、前記把持部５を前記掛け部２４に掛けた状態で、前記本体２の揺動中心Ｃと重心Ｇの位置関係が、前記本体２を前記給電部１６に向かわせるＺ軸方向の力Ｆが重力ｇによって働く位置関係であることで、前記掛け部２４に前記把持部５を掛けて、前記保持体３に前記本体２を容易に保持させることができると共に、この状態で前記胴部４が前記基部１４の給電部１６に押し付けられることで、前記本体２を前記保持体３に安定して保持させることができるものである。また、前記把持部５を前記掛け部２４に掛けるので、使用者から見て、前記掛け部２４が前記胴部４に隠れないので、確実に前記把持部５を前記掛け部２４に掛けることができるものである。
【００２７】
また、本発明の電気掃除機１は、前記腕部１５の掛け部２４がＹ軸方向で上に凹となる凹状部２５を有することで、前記本体２の把持部５を前記掛け部２４の凹状部２５の最低位置２５Ａに安定して掛けることができるものである。
【００２８】
また、本発明の電気掃除機１は、前記凹状部２５がＺ軸方向で前記給電部１６から離れる方向に凹となる部分を有し、この凹状部２５におけるＺ軸方向で最も前記給電部１６に近い最後部２５Ｂと、Ｙ軸方向で最も低い最低部２５Ａとが、Ｘ軸において同じことで、前記本体２の把持部５が前記掛け部２４に安定して掛けられる位置において、前記本体２の位置を最も基部１４側である後方にさせて当接部としての前記給電部１６に安定して当接させることができるものである。
【００２９】
更に、本発明の電気掃除機１は、前記基部３に当接部としての前記給電部１６が設けられると共に、前記本体２の胴部４に、前記給電部１６に対応して受電部１０が設けられることで、前記把持部５を前記腕部１５の掛け部２４に掛けるだけで、前記本体２に給電することができるものである。
【００３０】
なお、本発明は以上の実施形態に限定されるものではなく、発明の要旨の範囲内で種々の変形実施が可能である。例えば、上記実施形態では、前記本体の後部が壁側となるように、前記本体を前記保持体に保持させたが、前記本体の前側が壁側となるように、前記本体を前記保持体に保持させても良い。また、上記実施形態では、前記腕部を湾曲させることで凹状部を形成したが、前記腕部を潰したり抉ったりすることで、凹状部を形成しても良い。更に、上記実施形態では、当接部を給電部としたが、前記基部の前面を当接部としても良い。
【符号の説明】
【００３１】
１  電気掃除機
２  本体
３  保持体
４  胴部
４Ａ  上端部
５  把持部
１０  受電部
１４  基部
１５  腕部
１６  給電部（当接部）
２５  凹状部
２５Ａ  最低位置
２５Ｂ  最後位置
２５Ｃ  最低最後位置
Ｃ  揺動中心
Ｆ  力
Ｇ  重心
ｇ  重力
【図１】
2019180901.tif 000003
【図２】
2019180901.tif 000004
【図３】
2019180901.tif 000005
【図４】
2019180901.tif 000006
【図５】
2019180901.tif 000007
【図６】
2019180901.tif 000008
【図７】
2019180901.tif 000009
【図８】
2019180901.tif 000010
【図９】
2019180901.tif 000011
【図１０】
2019180901.tif 000012